(57)【要約】【課題】撮影の視野を案内旗に遮られることなく、撮影装置で広い視野を適切に撮影すること。【解決手段】開示の技術の一態様に係る撮影装置は、第１のレンズと、前記第１のレンズとは異なる方向からの光を入射する第２のレンズと、を備え、前記第１のレンズと、前記第２のレンズとが固定された筐体と、前記第１のレンズ及び前記第２のレンズの最大画角光路外に配置され、前記筐体に固定されて所定の情報を表示する表示部と、一端が前記筐体に接続され、撮影装置の使用者により把持される被把持部材と、を有する。【選択図】図１
2020134700.tif 000002
【特許請求の範囲】
【請求項１】
第１のレンズと、
前記第１のレンズとは異なる方向からの光を入射する第２のレンズと、を備え、
前記第１のレンズと、前記第２のレンズとが固定された筐体と、
前記第１のレンズ及び前記第２のレンズの最大画角光路外に配置され、前記筐体に固定されて所定の情報を表示する表示部と、
一端が前記筐体に接続され、撮影装置の使用者により把持される被把持部材と、を有する
撮影装置。
【請求項２】
前記筐体は、
前記筐体の外周に設けられ、前記撮影装置を操作する操作ボタンを備え、
前記表示部は、
前記筐体の外周が嵌め込まれる切欠き部位が設けられた板状部材と、
前記板状部材の外周と、前記切欠き部位に嵌め込まれた前記筐体の前記操作ボタンの位置と、を連通させる連通孔に、連通方向に移動可能に設けられた移動部材を介して、前記板状部材の外周に加えられた押下力を、前記操作ボタンに伝達する押下力伝達機構と、を備える
請求項１に記載の撮影装置。
【請求項３】
前記板状部材は、円板状部材である
請求項２に記載の撮影装置。
【請求項４】
前記表示部は、
前記所定の情報を表示させる液晶表示部、有機エレクロトルミネッセンス表示部、又は発光ダイオード表示部と、
前記液晶表示部、前記有機エレクロトルミネッセンス表示部、又は前記発光ダイオード表示部に電力を供給する電力供給部と、を備える
請求項１乃至３の何れか１項に記載の撮影装置。
【請求項５】
前記被把持部材は、棒状部材である
請求項１乃至４の何れか１項に記載の撮影装置。
【発明の詳細な説明】
【技術分野】
【０００１】
本願は、撮影装置に関する。
【背景技術】
【０００２】
従来、団体旅行の参加者が団体からはぐれたり、迷子になったりすること等を防止するために、旅行名や旅行業者名、参加者が搭乗するバスの識別番号等の目印情報が表示され、旅行添乗者等により掲げられる案内旗が知られている。
【０００３】
一方で、魚眼レンズや超広角レンズなどの広角なレンズを複数使用して全方位（以下、全天球という）を一度に撮影可能な全天球撮影装置等の撮影装置が知られている（例えば、特許文献１参照）。
【０００４】
高く掲げられる案内旗と撮影装置とを組み合わせることができれば、旅行添乗者等の撮影装置の使用者は、目印情報を表示する案内旗を用いて参加者を案内（ガイド）しながら、団体で行動する時の参加者や参加者の周囲の風景等の画像、又は映像を広い視野で撮影することができる。そのため、旅行添乗者等の案内旗や撮影装置の使用者にとって、非常に有用なツールとなる。
【発明の概要】
【発明が解決しようとする課題】
【０００５】
しかしながら、案内旗には目印情報等を表示するために所定の面積が必要となる。そのため、案内旗と撮影装置とを組み合わせた時に、撮影装置による撮影の視野を案内旗が遮り、広い視野を適切に撮影することが困難になる場合があった。
【０００６】
本発明は、上記の点に鑑みてなされたものであって、撮影の視野を案内旗に遮られることなく、撮影装置で広い視野を適切に撮影することを課題とする。
【課題を解決するための手段】
【０００７】
開示の技術の一態様に係る撮影装置は、第１のレンズと、前記第１のレンズとは異なる方向からの光を入射する第２のレンズと、を備え、前記第１のレンズと、前記第２のレンズとが固定された筐体と、前記第１のレンズ及び前記第２のレンズの最大画角光路外に配置され、前記筐体に固定されて所定の情報を表示する表示部と、一端が前記筐体に接続され、撮影装置の使用者により把持される被把持部材と、を有する。
【発明の効果】
【０００８】
本発明の一実施形態によれば、撮影の視野を案内旗に遮られることなく、撮影装置で広い視野を適切に撮影することができる。
【図面の簡単な説明】
【０００９】
【図１】第１の実施形態に係る撮影装置の構成の一例を説明する斜視図である。
【図２】第１の実施形態に係る棒状部材の構成の一例を説明する図であり、（ａ）は棒状部材の全体斜視図であり、（ｂ）は図２（ａ）のＡ部付近の部分拡大斜視図である。
【図３】第１の実施形態に係る撮影部の構成の一例を説明する斜視図である。
【図４】第１の実施形態に係る撮影部の構成の一例を説明する断面図である。
【図５】第１の実施形態に係る表示部の構成の一例を説明する斜視図であり、（ａ）は組み付け前の撮影部と表示部を示す斜視図であり、（ｂ）は組み付け後の撮影部と表示部を示す斜視図である。
【図６】最大画角光路外となる空間の一例を説明する図であり、（ａ）は撮影装置を上方から見た図、（ｂ）は（ａ）から最大画角光路外となる空間を取り出して模式的に示した図である。
【図７】第１の実施形態に係る表示部の押下力伝達機構の構成の一例を説明する斜視図であり、（ａ）は表示部の斜視図であり、（ｂ）は図７（ａ）のＢ部付近の部分拡大斜視図であり、（ｃ）は表示部を撮影部に固定した後の状態を示す正面図である。
【図８】第２の実施形態に係る表示部の構成の一例を説明する図である。
【発明を実施するための形態】
【００１０】
以下に、図面を参照して発明を実施するための形態について説明する。各図面において、同一の構成部分には同一符号を付し、重複した説明を省略する場合がある。
【００１１】
実施形態に係る撮影装置は、団体旅行の旅行名や旅行会社名、又は団体旅行の参加者が搭乗するバスの識別番号等の目印情報を表示して参加者を案内する案内旗の機能を有するとともに、全天球画像を撮影可能な撮影装置である。
【００１２】
実施形態では、使用者の一例である旅行添乗者が、撮影装置を使用して、団体旅行の参加者を案内する場合を一例として説明する。
【００１３】
［第１の実施形態］
＜第１の実施形態に係る撮影装置の構成＞
図１は、本実施形態に係る撮影装置の構成の一例を説明する斜視図である。
【００１４】
図１に示すように、撮影装置１は、全方位の画像、又は映像である全天球画像を撮影する撮影部１０を備える。撮影部１０は、画像、又は映像を撮影するための光学系、撮像素子等を備え、これらは撮影部１０の筐体内に収容されている。
【００１５】
また、撮影装置１は、案内旗としての機能を有する表示部２０を備える。表示部２０は円板状の部材で構成され、撮影部１０の筐体における正のＹ方向側の外周部に固定されている。表示部２０の円板の平面部に所定の情報が表示される。所定の情報には、団体旅行の旅行名（ツアー名）や、団体旅行を主催する旅行業者名、又は参加者が搭乗するバスの識別番号等の目印情報が挙げられる。
【００１６】
このような目印情報を円板の平面部にペンで書き込んだり、目印情報が記載された紙や布を円板の平面部に張り付けたりすることで、目印情報を表示部２０に表示させることができる。
【００１７】
さらに、撮影装置１は、「被把持部材」の一例である棒状部材３０を備える。棒状部材３０の一端は、撮影部１０の負のＹ方向側の面に接続されている。また、棒状部材３０の他端側には取っ手部位３１が設けられている。旅行添乗者は取っ手部位３１を手で掴むことで棒状部材３０を把持することができる。そして、棒状部材３０の長手方向がＹ方向に沿うようにして棒状部材３０を掲げることで、棒状部材３０の一端に接続された撮影部１０と、撮影部１０に固定された表示部２０とを、旅行添乗者の頭上の高くに位置させることができる。
【００１８】
旅行添乗者は、団体旅行の参加者の見やすい位置で目印情報を示しながら、参加者を案内（ガイド）することができ、また、頭上の高い位置から、団体行動する参加者やその周囲の風景を含む全天球画像を撮影することができる。
【００１９】
撮影された全天球画像は、撮影部１０に含まれる記憶装置に記憶される。或いは、有線、又は無線で接続されたスマートホンやサーバー等の外部装置に送信され、記憶されたり、表示されたりすることができる。
【００２０】
以下において、各部の構成の詳細を説明する。
【００２１】
＜棒状部材の構成＞
先ず、棒状部材３０の構成の詳細について、図２を参照して説明する。
【００２２】
図２は、本実施形態に係る棒状部材の構成の一例を説明する図であり、（ａ）は棒状部材の全体斜視図であり、（ｂ）は図２（ａ）のＡ部付近の部分拡大斜視図である。
【００２３】
図２（ａ）に示すように、棒状部材３０は、取っ手部位３１と、長さ調整部位３２と、接続部位３３とを含んでいる。取っ手部位３１は、上述したように旅行添乗者等の使用者に把持される部位である。使用者が把持しやすいように表面に凹凸を設けた形状にすると好適である。
【００２４】
長さ調整部位３２は、取っ手部位３１の正のＹ方向側に設けられ、棒状部材３０の長手方向の全体の長さを調整する部位である。長さ調整部位３２を長手方向に伸縮可能に構成し、長さ調整部位３２を伸縮させて棒状部材３０の長さを調整することができる。或いは、長さ調整部位３２を予め定められた長さにすることで、棒状部材３０の全体の長さが所定の長さになるようにしても良い。
【００２５】
接続部位３３は、長さ調整部位３２の正のＹ方向側に設けられ、図１における撮影部１０の負のＹ方向側の面に接続される部位である。図２（ｂ）に示すように、撮影部１０に接続される正のＹ方向側の面には、取付ねじ３４が突出するようにして設けられている。接続部位３３に接続される撮影部１０の面には、タップ孔が設けられており、取付ねじ３４とタップ孔とを締結させることで、棒状部材３０と撮影部１０とを接続し、固定することができる。取付ねじ３４には、三脚用のねじとして一般的な１／４インチサイズのねじを用いると、汎用性を持たせることができて好適である。しかし、これに限定されるものではなく任意のサイズのねじを用いても良い。
【００２６】
なお、取っ手部位３１と、長さ調整部位３２と、接続部位３３とを一体に形成して棒状部材３０を構成しても良いし、別部材として製作された取っ手部位３１と、長さ調整部位３２と、接続部位３３とを組み合わせて棒状部材３０を構成しても良い。
【００２７】
また、撮影部１０に設けられたシャッターボタンに電気的、又は機械的に接続されたボタン、又はスイッチを取っ手部位３１に設け、このボタン、又はスイッチへの操作で撮影部１０のシャッターを操作できるようにしても良い。使用者の手元で撮影操作ができるため、より好適となる。
【００２８】
＜撮影部の構成＞
次に、撮影部１０の構成の詳細について、図３及び図４を参照して説明する。
【００２９】
図３は、本実施形態に係る撮影部の構成の一例を説明する斜視図である。図３に示すように、撮影部１０は筐体１１と、筐体１１の内部に備えられた光学系１２１及び１３１等を備えている。光学系１２１は、複数のレンズで構成された撮影光学系であり、正のＺ方向側を撮影方向としている。光学系１３１も同様に、複数のレンズで構成された撮影光学系であるが、光学系１２１とは異なり、負のＺ方向側を撮影方向としている。なお、光学系１３１に含まれるレンズは、撮影部１０の負のＺ方向側に設けられているため、図３では図示されていない。
【００３０】
また、筐体１１の正のＸ方向側の側面には、操作ボタン１４、１５及び１６が設けられている。操作ボタン１４は撮影部１０の電源をＯＮ／ＯＦＦさせるボタンであり、操作ボタン１５は撮影部１０のＷｉＦｉ（登録商標）接続をＯＮ／ＯＦＦさせるためのボタンである。撮影部１０は、ＷｉＦｉを介してネットワークやサーバー等の外部装置に接続し、全天球画像のデータを送信することができる。
【００３１】
操作ボタン１６は、撮影部１０による撮影モードを、静止画を撮影するための静止画モード、或いは動画（映像）を撮影するための動画モードの何れか一方に切り替えるためのボタンである。但し、上記の各操作ボタンの機能は一例であり、他の機能を持たせても良い。
【００３２】
次に、図４は、本実施形態に係る撮影部の構成の一例を説明する断面図である。図４は、図５において、撮影部１０のＸ方向における中心線を含み、撮影部１０を正のＸ方向から見た時の断面を示している。
【００３３】
図４に示すように、撮影部１０は、光学系１２１及び撮像素子１２２等により構成される第１のカメラ１２と、光学系１３１及び撮像素子１３２等により構成される第２のカメラ１３と、プリズム１７とを備えている。撮像素子１２２及び１３２は、それぞれＣＣＤ（Charge Coupled Device）センサやＣＭＯＳ（Complementary Metal Oxide Semiconductor）センサ等により構成されている。ここで、光学系１２１を構成するレンズのうち、最も負のＺ方向側にあるレンズは「第１のレンズ」の一例である。また、光学系１３１を構成するレンズのうち、最も正のＺ方向側にあるレンズは「第２のレンズ」の一例である。
【００３４】
光学系１２１及び１３１は、それぞれ６群７枚の魚眼レンズ等として構成されている。光学系１２１にはレンズ群１２１ａ及び１２１ｂが含まれ、光学系１３１にはレンズ群１３１ａ及び１３１ｂが含まれている。また、光学系１２１及び１３１は、同一仕様のものであり、それぞれの光軸が合致するようにして、互いに逆向きに組み合わせられている。従って、第１のカメラ１２の撮影方向と第２のカメラ１３の撮影方向は反対向きになっている。
【００３５】
撮影部１０の外部から光学系１２１のレンズ群１２１ａに入射した光は、プリズム１７により負のＹ方向側に折り返され、レンズ群１２１ｂを通って撮像素子１２２の撮像面上で結像する。結像光は撮像素子１２２により撮像される。
【００３６】
また、撮影部１０の外部から光学系１３１のレンズ群１３１ａに入射した光は、プリズム１７により正のＹ方向側に折り返され、レンズ群１３１ｂを通って撮像素子１３２の撮像面上で結像する。結像光は撮像素子１３２により撮像される。
【００３７】
さらに、撮影部１０は、撮像素子１２２及び撮像素子１３２のそれぞれに電気的に接続された画像生成部１８を備えている。画像生成部１８は、撮像素子１２２及び撮像素子１３２によりそれぞれ撮像された画像信号を入力し、これらの画像を結合させる処理を実行する。
【００３８】
光学系１２１及び１３１の画角は、一例として、ともに１９０度〜２００度であり、１８０度より大きい画角である。画像生成部１８は、１８０度より大きい画角の光学系１２１及び１３１で撮影された画像を結合させることで、３６０度の全方位を撮影した全天球画像を生成することができる。
【００３９】
画像生成部１８は、ＣＰＵ（Central Processing Unit）、ＲＯＭ（Read Only Memory）、ＲＡＭ（Random Access Memory）等を備えており、ＣＰＵがＲＡＭをワークエリアとしてＲＯＭに記憶されたプログラムを実行させることで、全天球画像を生成することができる。但し、このようなＣＰＵの処理の一部、又は全部を、ＡＳＩＣ（Application Specific Integrated Circuit）やＦＰＧＡ（Field-Programmable Gate Array）等の集積回路に実行させても良い。
【００４０】
撮影部１０には、特許６２５６５１３号公報等に開示されている公知の撮像システムを適用できるため、ここでは更に詳細な説明は省略する。
【００４１】
＜表示部の構成＞
次に、表示部２０の構成の詳細について、図５及び図６を参照して説明する。
【００４２】
先ず、図５は、本実施形態に係る表示部の構成の一例を説明する斜視図である。（ａ）は組み付け前の撮影部と表示部を示す斜視図であり、（ｂ）は組み付け後の撮影部と表示部を示す斜視図である。
【００４３】
図５（ａ）に示すように、表示部２０は円板状部材で構成されている。円板状部材の平面部２１は所定の面積を有し、上述したように、文字等による目印情報を表示することができる。また、円板状部材には、表示部２０を撮影部１０の筐体１１の外周に嵌めこんで固定するための切欠き部位２２が形成されている。
【００４４】
図５（ａ）に示した状態から表示部２０を負のＹ方向側に移動させ、切欠き部位２２内に撮影部１０の筐体１１の外周を嵌め込むことで、図５（ｂ）に示すように、表示部２０を撮影部１０に固定することができる。このように、撮影部１０の筐体１１の外周と切欠き部位２２とは嵌合関係になっている。
【００４５】
また、切欠き部位２２において、撮影部１０の筐体１１の外周面と接触する部分には、樹脂製で弾力性のある緩衝部材２３が設けられている。緩衝部材２３の弾力で撮影部１０を押さえることで、表示部２０を撮影部１０に安定して固定することができる。
【００４６】
なお、緩衝部材２３の材質は、弾力性のあるものであれば、樹脂に限定されるものではない。また、図５（ａ）に示した例では、円板状部材の外周に補強用部材を設けているが、必ずしも設けなくてもよい。
【００４７】
ここで、表示部２０の円板状部材は所定の面積（大きさ）を有するため、撮影部１０に表示部２０を固定して撮影した際に、撮影された全天球画像の視野内に表示部２０が含まれ、全天球画像の視野を表示部２０が遮って（制限して）しまう場合がある。
【００４８】
そこで、本実施形態では、撮影部１０の最大画角光路外となる空間に表示部２０を配置している。換言すると、表示部２０は、撮影部１０に含まれる第１カメラ及び前記第２のカメラの両方の最大画角光路外となる空間に配置されている。なお、撮影部１０の最大画角光路外となる空間とは、撮影部１０による撮影の視野外であって、撮影できない空間をいう。最大画角光路外となる空間からの光は、撮像部１０の備える撮像素子１２２及び１３２の何れの撮像面にも到達することができない。
【００４９】
図６は、このような最大画角光路外となる空間の一例を説明する図である。（ａ）は撮影装置を上方（正のＹ方向側）から見た図、（ｂ）は（ａ）から最大画角光路外となる空間を取り出して模式的に示した図である。
【００５０】
図６（ａ）において、画角θａは光学系１２１の最大画角を示し、画角θｂは光学系１３１の最大画角を示している。破線は、光学系１２１及び１３１の最大画角光路を示しており、表示部２０は破線で囲まれた空間内に配置されている。
【００５１】
図６（ａ）の破線で示された空間のうち、図６（ｂ）に、斜線ハッチングで示した部分は、最大画角光路外となる空間１９の一例である。ここで、図６（ｂ）において、レンズ１２１１は、上述した「第１のレンズ」に該当し、レンズ１３１１は、上述した「第２のレンズ」に該当する。つまり、最大画角光路外となる空間１９は、光学系１２１及び１３１の最大画角光路で囲まれた空間のうち、レンズ１２１１及び１３１１より外側（光軸と反対側）にある空間に該当する。
【００５２】
光学系１２１及び１３１をそれぞれ構成する魚眼レンズは、射影方式として等距離射影もしくは立体射影を採用するため、最大画角光路外となる空間１９は、最大画角の入射位置をベースに規定される。
【００５３】
最大画角光路外となる空間１９の内部に含まれるように表示部２０を配置することで、第１のカメラ１２及び第２のカメラ１３の何れの視野内にも、表示部２０が含まれない状態にすることができる。つまり、全天球画像の視野を表示部２０が遮らない状態を実現することができる。
【００５４】
なお、表示部２０の円板状部材の平面中心を通る中心軸と光学系１２１及び１３１の光軸とが略一致するようにして表示部２０を撮影部１０に固定すると、死角空間１９の内部に含まれるように配置された表示部２０の平面部の面積を、より大きくすることができ、好適である。
【００５５】
また、本実施形態では、外形が円形のレンズで光学系１２１及び１３１を構成した場合の最大画角光路外となる空間１９の例を説明したが、これに限定されるものではない。例えば、外形が矩形のレンズで光学系１２１及び１３１を構成する場合は、最大画角光路外となる空間は外形が矩形の空間になる。このように、最大画角光路外となる空間は外形が任意の形状の空間であっても良い。
【００５６】
また、本実施形態では、表示部２０を円板状部材で構成した例を示したが、これに限定されるものではなく、矩形やその他の任意の形状の板状部材で、表示部２０を構成しても良い。
【００５７】
但し、外形が円形のレンズで光学系１２１及び１３１を構成する場合は、視野が円形となる。従って、この場合は、表示部２０を円板状部材にすると、最大画角光路外となる空間１９の内部に表示部２０を配置しつつ、表示部２０の平面部の面積を最大化できるため好適である。また、外形が矩形のレンズで光学系１２１及び１３１を構成する場合は、視野が矩形になる。従って、この場合は、表示部２０を矩形状部材にすると、最大画角光路外となる空間１９の内部に表示部２０を配置しつつ、表示部２０の平面部の面積を最大化できるため好適である。
【００５８】
このように、表示部２０の平面部の形状を視野の形状に対応した形状にすると、最大画角光路外となる空間１９の内部に表示部２０を配置しつつ、表示部２０の平面部の面積を最大化することができる。
【００５９】
＜押下力伝達機構の構成＞
次に、表示部２０に備えられた押下力伝達機構の構成について、図７を用いて説明する。
【００６０】
図７は、本実施形態に係る表示部の押下力伝達機構の構成の一例を説明する斜視図であり、（ａ）は表示部の斜視図、（ｂ）は図７（ａ）のＢ部付近の部分拡大斜視図、（ｃ）は表示部を撮影部に固定した後の状態を示す正面図である。
【００６１】
図７に示すように、表示部２０の円板状部材の外周の一部には、押下力伝達機構２４、２５及び２６が設けられている。押下力伝達機構２４、２５及び２６は、それぞれ棒状の移動部材、ばね、及びストッパ等（それぞれ図示を省略）により構成された押しボタン等である。押下力伝達機構２４、２５及び２６は、押下力伝達機構２４、２５及び２６に対して加えられた押下力を、撮影部１０の操作ボタン１４、１５及び１６に伝達する機能を有する。
【００６２】
図７（ｃ）に示すように、押下力伝達機構２４は、表示部２０を撮影部１０に固定した際に、Ｙ方向における位置（高さ）が撮影部１０の操作ボタン１４に略一致する位置に設けられている。
【００６３】
同様に、押下力伝達機構２５は、Ｙ方向における高さが撮影部１０の操作ボタン１５に略一致する位置に設けられ、押下力伝達機構２６は、Ｙ方向における高さが撮影部１０の操作ボタン１６に略一致する位置に設けられている。
【００６４】
一方、表示部２０には、押下力伝達機構２４、２５及び２６のそれぞれに対応する位置に、円板状部材の外周から切欠き部位２２までをＸ方向に連通させる３つの連通孔が設けられている。
【００６５】
押下力伝達機構２４、２５及び２６がそれぞれ備える移動部材は、３つの連通孔に挿入され、Ｘ方向（連通方向）に移動可能になっている。図７（ｃ）に示すように、撮影部１０に表示部２０が固定された状態で、旅行添乗者等の使用者が押下力伝達機構２４を押すと、移動部材が負のＸ方向に移動する。そして、移動部材の先端が操作ボタン１４に接触して、操作ボタン１４を押下する。
【００６６】
同様に、使用者が押下力伝達機構２５を押すと、移動部材が負のＸ方向に移動し、移動部材の先端が操作ボタン１５に接触して、操作ボタン１５を押下する。また、使用者が押下力伝達機構２６を押すと、移動部材が負のＸ方向に移動し、移動部材の先端が操作ボタン１６に接触して操作ボタン１６を押下する。
【００６７】
このように、表示部２０の外周に設けられた押下力伝達機構２４、２５及び２６を押すことで、表示部２０を撮影部１０に固定した状態で、操作ボタン１４、１５及び１６を押下し、撮影部１０を操作することができる。
【００６８】
＜効果＞
以上説明してきたように、本実施形態では、第１のカメラ１２及び第２のカメラ１３の両方の最大画角光路外となる空間１９に、目印情報等の所定の情報を表示する表示部２０を配置する。これにより、第１のカメラ１２及び第２のカメラ１３の何れの視野内にも表示部２０が含まれない状態を実現でき、全天球画像の視野を表示部２０が遮らないようにすることができる。
【００６９】
旅行添乗員等の使用者は、表示部２０で目印情報を示して団体旅行の参加者を案内（ガイド）するとともに、団体で行動する時の参加者や参加者の周囲の風景等の全天球画像を、表示部２０に視野を遮られることなく高い位置から適切に撮影することができる。
【００７０】
また、本実施形態では、表示部２０は外周に押下力伝達機構２４、２５及び２６を備え、使用者は、押下力伝達機構２４、２５及び２６を介することで、表示部２０が固定された状態で、撮影部１０の操作ボタンを押すことができる。これにより、撮影装置１の操作性をより向上させることができる。
【００７１】
また、撮影装置で用いられるレンズは、外形が円形であるものが一般的であるため、撮影装置の最大画角光路外となる空間は外形が円形になることが多い。本実施形態では、表示部２０を円板状部材で構成することで、外形が円形の最大画角光路外となる空間の内部に表示部２０を配置しつつ、表示部２０の平面部の面積を最大化することができる。平面部の面積が大きくなることで、より多くの目印情報を表示部２０に表示させることができ、団体旅行の案内をより円滑に行うことができる。
【００７２】
さらに、本実施形態では、使用者に把持させるための被把持部材を棒状部材３０とすることで、被把持部材を軽量化している。これにより、撮影装置１をよりハンドリングしやすくできる。また、撮影装置１は全天球画像を撮影するため、視野内に被把持部材の一部が含まれ、視野を遮る場合がある。このような場合に、ブロック状部材等と比較して、細い棒状部材３０を用いることで、被把持部材による視野の制限をより小さくすることができる。
【００７３】
［第２の実施形態］
次に、第２の実施形態に係る撮影装置１ａについて説明する。なお、既に説明した実施形態と同一の構成部についての説明を省略する。
【００７４】
図８は、本実施形態に係る表示部の構成の一例を説明する図である。図８では、撮影部１０に固定された状態の表示部２０ａが示されている。
【００７５】
図８に示すように、表示部２０ａは液晶表示部２７を備えている。図８では、液晶表示部２７に、「ツアーＮｏ．５」という文字が表示されている。液晶表示部２７は、ＵＳＢ（Universal Serial BUs）インタフェース等を介してＰＣ（Personal Computer）やスマートホン等の外部装置（図示を省略）に電気的に接続することができ、外部装置を操作して、液晶表示部２７への表示内容を設定及び変更できるようになっている。液晶表示部２７への表示内容を設定及び変更した後に、液晶表示部２７と外部装置は切り離される。
【００７６】
また、表示部２０ａの平面部の一部には、電池ボックス２８が設けられ、電池ボックス２８の内部には、リチウムイオン電池等の蓄電池２９が設置されている。蓄電池２９から電力を供給されることで、表示部２０ａは表示駆動することができる。ここで、蓄電池２９は「電力供給部」の一例である。
【００７７】
表示部２０ａにおいて蓄電池２９が設置される箇所は任意でよいが、表示部２０ａによる表示を制限しない箇所（遮らない箇所）とすることが好適である。また、蓄電池２９に代えて乾電池等を電力供給部として用いても良い。さらに、表示部２０ａ自体は蓄電池等の電源を備えず、撮影部１０が備える蓄電池等の電源部から、ＵＳＢインタフェース等を介して電力を供給される構成にしても良い。
【００７８】
また、撮影装置１ａは、液晶表示部２７に代えて、有機エレクトロルミネッセンス素子を用いた有機エレクトロルミネッセンス表示部や、発光ダイオードを用いた発光ダイオード表示部を備える構成にしても良い。
【００７９】
このように、表示部２０ａに表示させる目印情報等を電気的に表示することで、目印情報等の内容を容易に変更することができる。これにより、表示させる情報を多様化するとともに、撮影装置１ａの操作性を向上させることができる。
【００８０】
なお、これ以外の効果は、上述した実施形態で説明したものと同様である。
【００８１】
本発明は、具体的に開示された上記の実施形態に限定されるものではなく、特許請求の範囲から逸脱することなく、種々の変形や変更が可能である。
【符号の説明】
【００８２】
１、１ａ              撮影装置
１０                  撮影部
１１                  筐体
１２                  第１のカメラ
１２１                光学系
１２１ａ、１２１ｂ    レンズ群
１３                  第２のカメラ
１３１                光学系
１３１ａ、１３１ｂ    レンズ群
１４、１５、１６      操作ボタン
１７                  プリズム
１８                  画像生成部
１９、１９ａ、１９ｂ  最大画角光路外となる空間
１９１                平面部分
２０、２０ａ          表示部
２１                  平面部
２２                  切欠き部位
２３                  緩衝部材
２４、２５、２６      押下力伝達機構
２７                  液晶表示部
２８                  電池ボックス
２９                  蓄電池
３０                  棒状部材
３１                  取っ手部位
３２                  長さ調整部位
３３                  接続部位
３４                  取付ねじ
ｄ                    距離
θａ、θｂ            画角
Ｃ１、Ｃ２            光学的中心
【先行技術文献】
【特許文献】
【００８３】
【特許文献１】特許６２５６５１３号公報
【図１】
2020134700.tif 000003
【図２】
2020134700.tif 000004
【図３】
2020134700.tif 000005
【図４】
2020134700.tif 000006
【図５】
2020134700.tif 000007
【図６】
2020134700.tif 000008
【図７】
2020134700.tif 000009
【図８】
2020134700.tif 000010